(57)【要約】【課題】オーバープリントによって印刷物に透明材コート層を後加工する際に、オーバープリント領域と非オーバープリント領域とで、画質の相違による違和感等を解消する。【解決手段】画像形成装置で使用される画像データーを供給する画像処理装置であって、  画像データーを画質処理パラメータに従って処理する制御部を備え、制御部は、転写媒体に対して透明材コート層をオーバープリントするオーバープリント領域とオーバープリントしない非オーバープリント領域とを判別し、オーバープリント領域と非オーバープリント領域とにおいて、画質処理パラメータによって互いの領域の画質の相違を調整する処理を行う。【選択図】図２
2016224111.tif 000002
【特許請求の範囲】
【請求項１】
画像形成装置で使用される画像データーを供給する画像処理装置であって、
前記画像データーを画質処理パラメータに従って処理する制御部を備え、
前記制御部は、転写媒体に対して前記透明材コート層をオーバープリントするオーバープリント領域とオーバープリントしない非オーバープリント領域とを判別し、オーバープリント領域と非オーバープリント領域とにおいて、前記画質処理パラメータにより、互いの領域の画質の相違を調整する処理が可能であることを特徴とする画像処理装置。
【請求項２】
前記制御部は、前記透明材コート層をオーバープリントするオーバープリント領域とオーバープリントしない非オーバープリント領域との判別結果を記憶部に記憶し、記憶部に記憶された判別結果に従って、前記互いの領域の画質の相違を調整する処理を行うことを特徴とする請求項１記載の画質処理装置。
【請求項３】
前記制御部は、前記互いの領域の画質の相違を小さくする処理を行うことを特徴とする請求項１または２に記載の画質処理装置。
【請求項４】
前記制御部は、前記互いの領域の画質の相違を大きくする処理を行うことを特徴とする請求項１または２に記載の画質処理装置。
【請求項５】
前記制御部は、線幅調整のパラメータ、画像輪郭強調の強度パラメータおよびスクリーン線数パラメータのいずれか１以上の画質処理パラメータの調整により前記互いの領域の画質の相違を調整する処理を行うことを特徴とする請求項１〜３のいずれか１項に記載の画質処理装置。
【請求項６】
前記制御部は、線幅調整のパラメータ、色変換パラメータおよびスクリーン線数パラメータのいずれか１以上の画質処理パラメータの調整により前記互いの領域の画質の相違を調整する処理を行うことを特徴とする請求項４に記載の画質処理装置。
【請求項７】
前記制御部は、オーバープリント領域に対し、画像形成に際し局所的な合計トナー量を増加するよう前記互いの領域の画質の相違を調整する処理を行うことを特徴とする請求項１〜６のいずれか１項に記載の画質処理装置。
【請求項８】
前記制御部は、前記画質処理パラメータを透明材の材料、透明材の硬化条件、転写媒体の厚みのいずれか一つ以上に応じて変更するものであることを特徴とする請求項１〜７のいずれか１項に記載の画質処理装置。
【請求項９】
前記制御部は、前記画質処理パラメータを転写媒体に印刷する画像の属性に応じて変更するものであることを特徴とする請求項１〜８のいずれか１項に記載の画質処理装置。
【請求項１０】
前記制御部は、前記互いの領域の画質の相違を調整する処理をオーバープリント領域の一部で行うことを特徴とする請求項１〜９のいずれか１項に記載の画質処理装置。
【請求項１１】
前記制御部は、前記互いの領域の画質の相違を調整する処理をオーバープリント領域内の周縁部で行うことを特徴とする請求項１０記載の画質処理装置。
【請求項１２】
前記透明材がニスであることを特徴とする請求項１〜１１のいずれか１項に記載の画質処理装置。
【請求項１３】
前記画像処理装置が画像形成装置に含まれるものであることを特徴とする請求項１〜１２のいずれか１項に記載の画質処理装置。
【請求項１４】
前記画像処理装置が画像形成装置外に設置されるものであることを特徴とする請求項１〜１２のいずれか１項に記載の画質処理装置。
【請求項１５】
前記画像処理装置が、ネットワークを介して画像形成装置に接続されるものであることを特徴とする請求項１４に記載の画質処理装置。
【発明の詳細な説明】
【技術分野】
【０００１】
この発明は、後加工で透明材コート層のオーバープリントが可能な画像形成装置で使用される画像データーを供給する画像処理装置に関するものである。
【背景技術】
【０００２】
印刷市場においては、画像の光沢の向上、耐水性、耐擦性の向上等を目的に、印刷された画像上にニスをオーバープリントすることがある。
例えば、特許文献１では、画像形成装置で出力した印刷物に対し、ニスコーターで後加工することが記載されている。この際に、光沢度が変わるために色再現性が変わり、所望の色味が得られなくなることが課題として挙げられている。特許文献１では、ニスコートを行う場合、ニスコートを行わないときよりも、記録媒体上の未定着トナー像へ付与する熱エネルギーを増加させる方向に定着部における定着条件を調整するか、所定の色ごとの色強度を補正することで上記課題を解決することが記載されている。
【先行技術文献】
【特許文献】
【０００３】
【特許文献１】特開２０１１−１４５３１４号公報
【発明の概要】
【発明が解決しようとする課題】
【０００４】
特許文献１では、全面コートの有無で定着条件や単色強度を変更している。しかし、ニスのコートでは、全面コートだけではなく、スポットコートなどによって、印刷物に対しニスを部分的にコーティングすることで、デザイン性を向上させて活用したいという場合がある。
【０００５】
しかし、このコーティングによって、
＊色が暗めに出る（特に赤が濃く見える）
＊厚くコーティングした場合、線幅が異なって見える
＊厚くコーティングした場合、スクリーン線数が異なって見える
という状況が生まれ、同じ画像（色や線、文字）に対してもコーティングの有無によって差分が生じ、違和感が生じてしまう。
特許文献１の方法を採用しても、全面の処理を変更してしまうため、スポットコートなどによってコートされた箇所と、コートされなかった箇所の違和感が生じてしまうことは回避することはできない。
【０００６】
本願発明は、上記事情を背景としてなされたものであり、オーバープリントされた場所と、オーバープリントされなかった場所とで、違和感のない印刷物が得られる画像処理装置を提供することを目的の一つとする。
【課題を解決するための手段】
【０００７】
すなわち、本発明の画像処理装置のうち、第１の形態は、画像形成装置で使用される画像データーを供給する画像処理装置であって、
前記画像データーを画質処理パラメータに従って処理する制御部を備え、
前記制御部は、転写媒体に対して透明材コート層をオーバープリントするオーバープリント領域とオーバープリントしない非オーバープリント領域とを判別し、オーバープリント領域と非オーバープリント領域とにおいて、前記画質処理パラメータにより、互いの領域の画質の相違を調整する処理が可能であることを特徴とする。
【０００８】
他の形態の画像処理装置の発明は、前記形態の本発明において、前記制御部は、前記透明材コート層をオーバープリントするオーバープリント領域とオーバープリントしない非オーバープリント領域との判別結果を記憶部に記憶し、記憶部に記憶された判別結果に従って、前記互いの領域の画質の相違を調整する処理を行うことを特徴とする。
【０００９】
他の形態の画像処理装置の発明は、前記形態の本発明において、前記制御部は、前記互いの領域の画質の相違を小さくする処理を行うことを特徴とする。
【００１０】
他の形態の画像処理装置の発明は、前記形態の本発明において、前記制御部は、前記互いの領域の画質の相違を大きくする処理を行うことを特徴とする。
【００１１】
他の形態の画像処理装置の発明は、前記形態の本発明において、前記制御部は、線幅調整のパラメータ、画像輪郭強調の強度パラメータおよびスクリーン線数パラメータのいずれか１以上の画質処理パラメータの調整により前記互いの領域の画質の相違を調整する処理を行うことを特徴とする。
【００１２】
他の形態の画像処理装置の発明は、前記形態の本発明において、前記制御部は、線幅調整のパラメータ、色変換パラメータおよびスクリーン線数パラメータのいずれか１以上の画質処理パラメータの調整により前記互いの領域の画質の相違を調整する処理を行うことを特徴とする。
【００１３】
他の形態の画像処理装置の発明は、前記形態の本発明において、前記制御部は、オーバープリント領域に対し、画像形成に際し局所的な合計トナー量を増加するよう前記互いの領域の画質の相違を調整する処理を行うことを特徴とする。
【００１４】
他の形態の画像処理装置の発明は、前記形態の本発明において、前記制御部は、前記画質処理パラメータを透明材の材料、透明材の硬化条件、転写媒体の厚みのいずれか一つ以上に応じて変更するものであることを特徴とする。
【００１５】
他の形態の画像処理装置の発明は、前記形態の本発明において、前記制御部は、前記画質処理パラメータを転写媒体に印刷する画像の属性に応じて変更するものであることを特徴とする。
【００１６】
他の形態の画像処理装置の発明は、前記形態の本発明において、前記制御部は、前記互いの領域の画質の相違を調整する処理をオーバープリント領域の一部で行うことを特徴とする。
【００１７】
他の形態の画像処理装置の発明は、前記形態の本発明において、前記制御部は、前記互いの領域の画質の相違を調整する処理をオーバープリント領域内の周縁部で行うことを特徴とする。
【００１８】
他の形態の画像処理装置の発明は、前記形態の本発明において、前記透明材がニスであることを特徴とする。
【００１９】
他の形態の画像処理装置の発明は、前記形態の本発明において、前記画像処理装置が画像形成装置に含まれるものであることを特徴とする。
【００２０】
他の形態の画像処理装置の発明は、前記形態の本発明において、前記画像処理装置が画像形成装置外に設置されるものであることを特徴とする。
【００２１】
他の形態の画像処理装置の発明は、前記形態の本発明において、前記画像処理装置が、ネットワークを介して画像形成装置に接続されるものであることを特徴とする。
【発明の効果】
【００２２】
以上、本発明によれば、  透明材によるオーバープリントされた場所とされなかった場所とで、異なる画質処理パラメータを用いることで両者の画質の違和感を解消することを可能にする。
【図面の簡単な説明】
【００２３】
【図１】本発明の一実施形態の画像処理装置を備える画像形成システムの概略を示す図である。
【図２】同じく、画像処理装置を含む画像形成システムの一部の制御ブロックを示す図である。
【図３】同じく、画像処理手順を示すフローチャートを示す図である。
【発明を実施するための形態】
【００２４】
図１は、本発明の画像処理装置を含む画像形成システム１の概略的構造を示す図である。
画像形成システム１は、給紙装置２０、画像形成装置１０、後処理／中継装置３０、ニススポットコーター４０、後処理／排紙装置５０が、この順で機械的および電気的に接続されている。なお、この実施形態では、画像形成装置１０とその他の装置とによって画像形成システムが構成されているものとして説明するが、画像形成装置１０を画像形成装置本体として、その他の装置、例えばニススポットコーターなどとともに画像形成装置を構成するものであってもよい。
【００２５】
給紙装置２０は、画像形成を行う用紙などの転写媒体を収納し、画像形成に備えて画像形成装置１０からの要求によって給紙および搬送を行う。
【００２６】
画像形成装置１０では、画像データーに基づいて印字部１１（図２示）で転写媒体に印刷を行う。その際に画像データーは、画像処理装置１００で画像処理がされる。なお、転写媒体は、紙でもその他の材質でもよい。
画像データーは、画像形成装置１０に備える読み取り装置（図示しない）で原稿を読み取って生成されるものでもよく、外部で生成された画像データーをネットワークなどを介して受けるものであってもよい。
【００２７】
後処理／中継装置３０は、後処理装置の一つであり、画像形成装置１０で印刷が行われた転写媒体を、反転したり、所定枚数スタックしたりすることができる。反転された転写媒体はそのまま、スタックされた転写媒体は所定のタイミングで中継装置３０の排紙側に搬送することができる。
【００２８】
ニススポットコーター４０は、設定に従って、印刷が行われた用紙にニスをコートする。ニスのコートは、印刷領域全面に行っても、印刷領域の一部によって行ってもよい。設定は、画像形成装置１０で印刷条件として行ってもよく、また、画像データーの印刷条件に含まれるものであってもよい。ニスは、本発明の透明材に相当し、その塗布層が本発明の透明材コート層に相当する。なお、本発明としては透明材の材料がニスに限定されるものではなく、透明なコート層を形成できるものであれば材質を問わない。
【００２９】
ニスのオーバープリントが行われる領域とニスのオーバープリントが行われない領域とは、画像形成装置１０の画像処理装置１００で把握されている。例えば、画像形成装置１０で設定を行っている場合、画像処理装置１００で領域が判別される。また、画像データーに含まれる場合も、画像処理装置１００で画像データーを受け入れることで上記領域の判別がなされる。
【００３０】
後処理／排紙装置５０は、後処理装置の一つであり、一以上の後処理部を有していてもよく、そのまま転写媒体を後処理することなく排紙するものであってもよい。
【００３１】
プリントコントローラ６０は、例えば外部装置などのアプリケーションプログラム等により生成された画像データーなどを受けることができる。画像データーの生成方法は特に限定されるものではない。
【００３２】
画像データーは、プリントコントローラ６０で受信され、プリントコントローラ６０に含まれる記憶部（ＨＤＤ）６１に展開、格納される。画像データーは、画像処理装置１００に送信される。また、画像データーにニスコートの設定が含まれる場合、設定内容がプリントコントローラ６０からニススポットコーター４０に送信されて、転写媒体に対するニスのオーバープリントが行われる。
【００３３】
なお、この実施形態では、画像処理装置１００が画像形成装置１０内に備えられるものとして説明しているが、本発明としては、画像処理装置１００が画像形成装置１０とは別体で備えられているものでもよく、また、ネットワークを介して、画像処理装置１００と、画像形成装置１０やニススポットコーター４０等とが電気的に接続されているものであってもよい。
【００３４】
次に、画像形成システム１の一部について制御ブロックを図２に基づいて説明する。
画像形成装置１０は、画像処理装置１００を制御するＣＰＵ１１０を有している。ＣＰＵ１１０は、プログラムによって所定の動作がなされて画像処理装置１００を制御する。なお、この実施形態では、ＣＰＵ１１０は画像形成装置１０全体を制御している。本発明としては、画像形成装置全体を制御する制御部と、画像処理装置１００を制御する制御部とが異なるものであってもよい。
【００３５】
ＣＰＵ１１０では、ニスのオーバープリントが行われる場合に、印刷領域において前記透明材コート層をオーバープリントするオーバープリント領域とオーバープリントが行われない非オーバープリント領域とを判別する。判別結果は後述する記憶部（メモリ）１２０や記憶部（ＨＤＤ）１２１に格納される。さらにＣＰＵ１１０では、一旦記憶部（メモリ）１２０や記憶部（ＨＤＤ）１２１に格納された判別結果に従って、オーバープリント領域と非オーバープリント領域とにおいて、画質処理パラメータによって互いの画質の相違を調整する処理を行う。したがって、ＣＰＵ１１０およびこれを動作させるプログラムは、本発明の制御部を構成する。
【００３６】
画像処理装置１００には、メモリからなる記憶部（メモリ）１２０、ＨＤＤからなる記憶部（ＨＤＤ）１２１を備えており、プログラムや設定データー、画像データーなどが格納される。設定データーとしては、前記互いの画質の相違の調整において、互いの画質の相違を小さくするか、互いの画質の相違を大きくするかの設定や、前記調整を行うための画質処理パラメータの設定、オーバープリント領域に対し、画像形成に際し局所的な合計トナー量を増加する場合の増加量の設定、画質処理パラメータを調整する際に、透明材の材料、透明材の硬化条件（加熱温度や加熱時間）、転写媒体の厚みのいずれか一つ以上に応じて画質処理パラメータを変更する設定、画質の相違調整を行うオーバープリント領域内の領域の設定（周縁部など）などのデーターが格納されている。
これらの設定データーは、記憶部のなかで、不揮発な記憶部に格納しておくのが望ましい。
画質処理パラメータとしては、線幅調整のパラメータ、色変換パラメータ（画像輪郭強調の強度パラメータを含む）およびスクリーン線数パラメータのいずれか１以上を好適に用いることができる。
【００３７】
また、画像処理装置１００には、プリントコントローラ６０から画像データーを受信するデーター入力部１５０を有している。データー入力部１５０は、画質処理部１３０の入力側に電気的に接続されている。画像データーは、記憶部（メモリ）１２０や記憶部（ＨＤＤ）１２１に格納することができる。
画質処理部１３０は、色補正部１３１、線幅補正部１３２、スクリーン処理部１３３が設けられている。画質処理部１３０の出力側には、データー入力部１４０が電気的に接続されており、データー入力部１４０の出力側に印字部１１が電気的に接続されている。
【００３８】
画質処理部１３０では、データー入力部１５０で取得した画像データーまたは記憶部（メモリ）１２０や記憶部（ＨＤＤ）１２１に格納された画像データーに対し画質処理を行うことができる。色補正部１３１は、色の変換や輪郭強調などの処理を行う。線幅補正部１３２は、線幅の調整を行う。スクリーン処理部は、スクリーン線数などに従って、スクリーン処理を行う。
印字部１１には、画像形成部や転写媒体を搬送する搬送部などを備えており、搬送される転写媒体に対し、画像形成部において画像が印刷される。
【００３９】
また、プリントコントローラ６０は、ニススポットコーター４０に制御可能に接続されており、プリントコントローラ６０からニス印字データーがニススポットコーター４０に送信される。ニススポットコーター４０では、ニス印字データーに基づいて、印刷領域の一部領域に対しスポットニスをオーバープリントし、ニスに対し所定（加熱温度、加熱時間）の硬化処理を行って処理を終了する。
【００４０】
以下、本発明による画像処理の手順を図３のフローチャートに基づいて説明する。以下の手順は、制御部の制御によって実行される。なお、画質処理パラメータの使用や選択は予め設定されており、設定に従って画質調整が行われる。
【００４１】
処理の開始に伴って、線幅補正切替が有効か判定される（ステップｓ１）。線幅補正切替が有効でなければ（ステップｓ１、Ｎｏ）、非オーバープリント（非ＯＰ；以下同じ）パラメータが設定される（ステップｓ５）。線幅補正切替が有効であれば（ステップｓ１、Ｙｅｓ）、オーバープリント（ＯＰ；以下同じ）領域であるか判定される（ステップｓ２）。ＯＰ領域であるかは印刷領域を対象に判断する。ＯＰ領域であれば（ステップｓ２、Ｙｅｓ）、ＯＰ用パラメータを設定し（ステップｓ３）、ＯＰ領域でなければ（ステップｓ２、Ｎｏ）、非ＯＰ用パラメータを設定する（ステップｓ４）。
【００４２】
ステップｓ３、ｓ４、ｓ５の後、パラメータに従って線幅補正処理を行い（ステップｓ６）、次いで、輪郭強調切替が有効かを判定する（ステップｓ７）。
輪郭強調切替が有効でなければ（ステップｓ７、Ｎｏ）、非ＯＰ用パラメータを設定する（ステップｓ１１）。
輪郭強調切替が有効であれば（ステップｓ７、Ｙｅｓ）、ＯＰ領域であるか判定される（ステップｓ８）。ＯＰ領域であるかは印刷領域を対象に判断する。ＯＰ領域であれば（ステップｓ８、Ｙｅｓ）、ＯＰ用パラメータを設定し（ステップｓ９）、ＯＰ領域でなければ（ステップｓ８、Ｎｏ）、非ＯＰ用パラメータを設定する（ステップｓ１０）。
【００４３】
ステップｓ９、ｓ１０、ｓ１１の後、パラメータに従って輪郭強調処理を行い（ステップｓ１２）、次いで、スクリーン線数切替が有効かを判定する（ステップｓ１３）。
スクリーン線数切替が有効でなければ（ステップｓ１３、Ｎｏ）、非ＯＰ用パラメータを設定する（ステップｓ１７）。
【００４４】
スクリーン線数切替が有効であれば（ステップｓ１３、Ｙｅｓ）、ＯＰ領域であるか判定される（ステップｓ１４）。ＯＰ領域であるかは印刷領域を対象に判断する。ＯＰ領域であれば（ステップｓ１４、Ｙｅｓ）、ＯＰ用パラメータを設定し（ステップｓ１５）、ＯＰ領域でなければ（ステップｓ１４、Ｎｏ）、非ＯＰ用パラメータを設定する（ステップｓ１６）。
ステップｓ１５、ｓ１６、ｓ１７の後、スクリーン処理を行い（ステップｓ１８）、処理を終了する。
【００４５】
なお、ＯＰ用パラメータ設定と非ＯＰ用パラメータ設定は予め設定して記憶部に格納しておき、設定に際し読み出して利用することができる。
各パラメータ設定の例を表１に示す。
【００４６】
【表１】
2016224111.tif 000003
【００４７】
表１に示すように、各パラメータ毎にＯＰ領域と非ＯＰ領域とでパラメータ調整内容が設定されている。
線幅補正では、ＯＰ領域内で線幅を通常よりも細めに設定し、ＯＰ領域外で通常通りの補正を行う。輪郭強調では、ＯＰ領域内で通常よりも弱めの強調を行い、ＯＰ領域外で通常通りの強調を行う。スクリーン線数では、ＯＰ領域内で線数を高めにし、ＯＰ領域外で通常線数にする。上記パラメータ調整によって、ＯＰ領域と非ＯＰ領域とで画質の相違が小さくなり、両者の違和感が小さくなる。すなわち、コートによる色の変化、線幅の見え方の変化、スクリーンパターンの見え方の変化などを抑制する。
調整項目毎のＯＮ／ＯＦＦは、ユーザーが設定可能としてもよく、一部または全部の調整を選択的に実施することができる。設定は、記憶部（メモリ）１２０や記憶部（ＨＤＤ１２２に記憶しておく。装置としては、必ずしも３種類の選択が可能である必要はなく、１種類または２種類の調整のみが可能であってもよく、４種類以上の調整項目を有するものであってもよい。
【００４８】
なお、上記の例では、ＯＰ領域外を通常通りとし、ＯＰ領域内を通常とは異なるものに設定したが、ＯＰ領域外を通常とは異なるものにし、ＯＰ領域内を通常通りとしてもよく、両方を通常とは異なるものにしてもよい。
【００４９】
また、この例では、画質の相違を小さくする処理について説明したが、これとは逆に、この違和感がニスコーティングの特徴であると捉え、逆に画質の相違を強調させるようなパラメータを使うことで、コートのデザイン効果を強調することができる。すなわち、コートによる色の変化、線幅の見え方の変化、スクリーンパターンの見え方の変化などを強調する。
【００５０】
線幅補正では、ＯＰ領域では通常より太めに補正し、色変換では通常より強めの強調を行い、スクリーン線数では、線数を低めにすることで、ＯＰ領域と非ＯＰ領域とで画質の相違を強調することができる。
例えば、レンチキュラレンズの形成に使われるように、透明ニスにはレンズ効果があるため、形状によってはそのレンズ効果でスクリーン線数が粗く見えるが、それ以上に粗いスクリーン線数とすることで、レンズ効果を強調する、という意味である。
また、これらのパラメータ調整で、一部のパラメータでは相違を小さくし、他のパラメータでは相違を強調するようにしてもよい。
【００５１】
上記ＯＰ用パラメータ設定では、ニススポットのどの部分で画質調整を行うかは予め設定しておき、その設定において行うことができ、例えば、ニススポットの画像輪郭強調のようにニススポット内の周縁で行うことができる。また、画質調整に際し、ＯＰ領域に対し、局所的な合計トナー量を増やすように、色変換パラメータを変更することができる。すなわち、ニスコーティングには耐スミア性の強化という効果も期待できる。
【００５２】
すなわち、トナー過多による電子写真プロセス上の定着不十分が発生しても、印刷の後工程でコーティングされてしまうため、スミア（表面のこすれ汚れ）が発生しないという効果である。一方、通常のカラー印刷では、同一箇所における合計トナー量に制約を設けることで、定着性を確保しているが、本来この制約を緩和できれば、より豊かな階調表現ができることが知られている。
【００５３】
そこで、コーティングされる領域に対しては、合計トナー量を緩和することができるようにする。この合計トナー量は、具体的には色変換パラメータ変更となる。
また、パラメータ設定に際し、ニスの材料や、硬化条件、転写媒体の厚み、画像の属性（写真、文字、グラフィックスの別など）などに応じてパラメータ設定の調整量を変更してもよい。
【００５４】
以上、本発明について上記実施形態に基づいて説明を行ったが、本発明の範囲を逸脱しない限りは実施形態に対する適宜の変更は可能である。
【符号の説明】
【００５５】
１    画像形成システム
１０    画像形成装置
１１    印刷部
４０    ニススポットコーター
６０    プリントコントローラ
１００    画像処理装置
１１０    ＣＰＵ
１２０    記憶部（メモリ）
１２１    記憶部（ＨＤＤ）
１３１    色補正部
１３２    線幅補正部
１３３    スクリーン処理部
【図１】
2016224111.tif 000004
【図２】
2016224111.tif 000005
【図３】
2016224111.tif 000006